(57)【要約】【課題】  不用意に縮まない伸縮式のスキー用ストックを提供する。【解決手段】  一方のシャフト１０の突端の鞘部に他方のシャフト１の突端を挿入可能とした上下２分割のシャフトからなり、被挿入側のシャフトの鞘部の端部を外圧により縮径方向に弾性変形可能な拡縮部１２とすると共に、上記の鞘部に軸線方向に螺動自在な筒状の締めつけ体１３を外装し、上記締めつけ体の移動により上記拡縮部を縮径して内挿された挿入側のシャフトを締めつけるストックにおいて、拡縮部内周と挿入側のシャフトの外周の当接箇所に係合手段２を設ける。【選択図】      図１
0003128866.tif 000002
【実用新案登録請求の範囲】
【請求項１】
一方のシャフトの突端の鞘部に他方のシャフトの突端を挿入可能とした上下２分割のシャフトからなり、被挿入側のシャフトの鞘部の端部を外圧により縮径方向に弾性変形可能な拡縮部とすると共に、上記の鞘部に軸線方向に螺動自在な筒状の締めつけ体を外装し、上記締めつけ体の移動により上記拡縮部を縮径して内挿された挿入側のシャフトを締めつけるストックにおいて、拡縮部内周と挿入側のシャフトの外周の当接箇所に係合手段を設けたことを特徴とするスキー用ストック。
【請求項２】
被挿入側のシャフトの拡縮部内周と挿入側のシャフトの外周の当接箇所の摩擦係数を高めることにより係合手段とした請求項１記載のスキー用ストック。
【請求項３】
被挿入側のシャフトの拡縮部内周または挿入側のシャフトの外周、またはこれらの双方に摩擦係数が高い素材よりなる樹脂層をコーティングした請求項２記載のスキー用ストック。
【請求項４】
被挿入側のシャフトの拡縮部内周と挿入側のシャフトの外周の当接箇所に、互いに噛み合う凹凸を設けることにより係合手段とした請求項１記載のスキー用ストック。
【考案の詳細な説明】
【技術分野】
【０００１】
この考案は、スキーにおいて使用するストックに関し、より詳細には伸縮式のストックに関する。
【背景技術】
【０００２】
スキーヤーの身長や使用状況に応じてシャフトを伸縮自在としたストックが公知である（特許文献１）。また、一方のシャフトの突端の鞘部に他方のシャフトの突端を挿入可能とした上下２分割のシャフトからなり、被挿入側のシャフトの鞘部の端部を外圧により縮径方向に弾性変形可能な拡縮部とすると共に、上記の鞘部に軸線方向に螺動自在な筒状の締めつけ体を外装し、上記締めつけ体の移動により上記拡縮部を縮径して内挿された挿入側のシャフトを締めつける形式のストックが広く流通している。
【０００３】
【特許文献１】実願平５−５０２２２号（実開平７−１３３８４号）のＣＤ−ＲＯＭ
【考案の開示】
【考案が解決しようとする課題】
【０００４】
前記の伸縮式のストックは非常に便利ではあるが、ストックに過度の加重が加わった場合に、締めつけ体の締めつけ力に抗してシャフトが移動して縮んでしまうおそれがあり、特に滑走中にこのような事態が生じると思わぬ事故を起こしかねない問題があった。
【課題を解決するための手段】
【０００５】
この考案は以上の従来技術の問題点を解消したストックを提供することを目的として創作されたものであり、一方のシャフトの突端の鞘部に他方のシャフトの突端を挿入可能とした上下２分割のシャフトからなり、被挿入側のシャフトの鞘部の端部を外圧により縮径方向に弾性変形可能な拡縮部とすると共に、上記の鞘部に軸線方向に螺動自在な筒状の締めつけ体を外装し、上記締めつけ体の移動により上記拡縮部を縮径して内挿された挿入側のシャフトを締めつけるストックにおいて、拡縮部内周と挿入側のシャフトの外周の当接箇所に係合手段を設けたことを特徴とする。
【０００６】
また、ここでは第２考案として、被挿入側のシャフトの拡縮部内周と挿入側のシャフトの外周の当接箇所の摩擦係数を高めることにより係合手段とすることを開示すると共に、第３考案として被挿入側のシャフトの拡縮部内周または挿入側のシャフトの外周、またはこれらの双方に摩擦係数が高い素材よりなる樹脂層をコーティングすることを開示する。
【０００７】
また、第４考案として、被挿入側のシャフトの拡縮部内周と挿入側のシャフトの外周の当接箇所に、互いに噛み合う凹凸を設けることにより係合手段とすることを開示する。
【考案の効果】
【０００８】
以上の構成からなるこの考案のストックによれば、拡縮部内周と挿入側のシャフトの外周の当接箇所に係合手段が設けられるので、仮にストックに過度の加重が加わった場合でも締めつけ体の締めつけ力に抗してシャフトが移動して縮んでしまう事態が係合により防止でき、安全なストックが実現される。
【０００９】
また、第３考案によれば、摩擦係数が高い素材よりなる樹脂層をシャフトにコーティングするだけで前記効果を生じるので、極めて簡易な手段で安全なストックが実現される。
【考案を実施するための最良の形態】
【００１０】
以下、この考案のスキー用ストックの具体的実施例を添付図面に基づいて説明する。図１〜図４は第１考案及び第２考案を実施したストックの実施例である。このストックにおいてはシャフトをグリップ１５側の上部シャフト１０と、これに挿入される下部シャフト１に２分割している。上部シャフト１０は少なくとも端部を下部シャフト１の突端を挿入可能な鞘状に構成するものであり、更に先端に軸方向の複数のスリットを入れることにより縮径方向に弾性変形可能な拡縮部１２を構成している（図２、図３参照）。上記の拡縮部の外周には螺子溝１１が設けられ、内周部に螺子溝１４を設けた筒状の締めつけ体１３が軸線方向に螺動自在に外装される。この締めつけ体１３は下方において内径が徐々に絞られた縮径部を構成しており、回転させて下方に螺動させることにより上記縮径部によりシャフト１０の拡縮部１２を締めつけ、縮径された拡縮部は内挿された下部シャフト１を締めつけ固定する（図２参照）。また、締めつけ体１３を逆方向に回転させて上方に螺動させることにより、上記の締めつけは解除され、下部シャフト１は上部シャフト１０に対し上下に摺動自在となる（図３参照）。
【００１１】
図４は上部シャフト１０の拡縮部１２内周と下部シャフト１の外周との当接箇所を示す図である。ここでは、これらの摩擦係数を高めて係合手段とするために下部シャフト１の端部の外周に摩擦係数が高い素材よりなる樹脂層２をコーティングしている。上記樹脂層２としてここではビニールコーティングを採用しているが、素材はこれに限らず、また、樹脂層は拡縮部１２側に設けても、あるいは下部シャフト１側及び拡縮部１２側の双方に設けてもよいことは勿論である。
【００１２】
図５及び図６は第４考案を実施したストックの実施例である。ここでは上部シャフト１０の拡縮部１２の内周と下部シャフト１の端部の外周に、互いに噛み合う波状の凹凸２１、２２を設けることにより係合手段としている。
【図面の簡単な説明】
【００１３】
【図１】この考案のストックの正面図。
【図２】第２考案のストックの要部の一部切り欠き正面図。
【図３】同上、要部の一部切り欠き正面図。
【図４】同上、要部の一部切り欠き正面図。
【図５】第４考案の要部の断面図。
【図６】同上、要部の拡大断面図。
【符号の説明】
【００１４】
１      下部シャフト
２      コーティング層（係合手段）
１０    上部シャフト
１２    拡縮部
１３    締めつけ体
【図１】
0003128866.tif 000003
【図２】
0003128866.tif 000004
【図３】
0003128866.tif 000005
【図４】
0003128866.tif 000006
【図５】
0003128866.tif 000007
【図６】
0003128866.tif 000008